(57)【要約】【課題】検索条件に合致するファイルを検索して閲覧する場合、個別に各ファイルの内容を確認しなくても自分が必要とするファイルをリスト中から効率的に選別できる検索支援装置を提供する。【解決手段】この検索支援装置は、ユーザが指定した検索条件に合致するファイルを検索して閲覧する場合に、閲覧対象のファイルリストに付加する補助情報を獲得する補助情報獲得手段３０と、前記補助情報とこの補助情報を獲得した閲覧対象ファイルとを関連づけて格納する補助情報記憶手段８０と、閲覧対象のファイルリストを表示する際、各閲覧対象ファイルの補助情報を所定の表示形式で付加して表示する補助情報出力制御手段４０を備えて、閲覧対象のファイルリストに各閲覧対象ファイルの内容に関する複数の観点からの補助情報を組み合わせて付加して表示するので、ファイルの内容を確認しなくとも情報選別の効率と精度が向上する。【選択図】        図２
2004157965.tif 000002
【特許請求の範囲】
【請求項１】
ユーザが指定した検索条件に合致するファイルを検索して閲覧する場合に、閲覧対象ファイルの内容に対する複数の観点からの補助情報を組み合わせて付加した閲覧対象のファイルリストを表示する検索支援装置であって、前記閲覧対象のファイルリストに付加する補助情報を獲得する補助情報獲得手段と、前記補助情報とこの補助情報を獲得した閲覧対象ファイルとを関連づけて格納する補助情報記憶手段と、前記閲覧対象のファイルリストを表示する際、各閲覧対象ファイルの補助情報を所定の表示形式で付加して表示する補助情報出力制御手段とを備えることを特徴とする検索支援装置。
【請求項２】
請求項１に記載の検索支援装置において、前記補助情報獲得手段は、前記閲覧対象ファイルの書誌情報を補助情報として獲得する書誌情報獲得手段と、前記閲覧対象ファイル中から検索条件と合致する部分の情報を補助情報として獲得する検索語合致箇所獲得手段と、前記閲覧対象ファイルの内容を代表する語句および文を補助情報として獲得する言語情報獲得手段とを有することを特徴とする検索支援装置。
【請求項３】
請求項２に記載の検索支援装置において、前記検索語合致箇所獲得手段における検索条件と合致する部分の情報は、前記閲覧対象ファイル中から検索条件と合致する部分とその近傍情報であることを特徴とする検索支援装置。
【請求項４】
請求項３に記載の検索支援装置において、前記検索語合致箇所獲得手段における近傍情報は、検索条件と合致する部分の開始位置よりも前方の文字列および終了位置よりも後方の文字列を所定の量だけ抽出した文字列であることを特徴とする検索支援装置。
【請求項５】
請求項２に記載の検索支援装置において、前記検索語合致箇所獲得手段における検索条件と合致する部分の情報は、前記閲覧対象ファイル中の検索条件と合致する部分の位置情報であることを特徴とする検索支援装置。
【請求項６】
請求項２に記載の検索支援装置において、前記言語情報獲得手段は、前記閲覧対象ファイルの内容を代表する語句として、検索語が出現している同一文中に共起する名詞句を抽出することを特徴とする検索支援装置。
【請求項７】
請求項２に記載の検索支援装置において、前記言語情報獲得手段は、前記閲覧対象ファイルの内容を代表する文を抽出する際に、文書タイプに応じて抽出方法を切り替えるようにしたことを特徴とする検索支援装置。
【請求項８】
請求項２、６または７に記載の検索支援装置において、前記補助情報獲得手段は、前記補助情報の獲得量を選択指定する情報抽出量指定手段を有し、前記言語情報獲得手段は、この補助情報の獲得量だけ前記閲覧対象ファイルの内容から代表する語句および文を獲得することを特徴とする検索支援装置。
【請求項９】
請求項２に記載の検索支援装置において、検索対象となるファイルの内容を代表する語句および文を属性情報として当該ファイルと対応付けて予め記憶しておき、前記言語情報獲得手段は、前記閲覧対象ファイルに対応する属性情報を補助情報として獲得することを特徴とする検索支援装置。
【請求項１０】
請求項１に記載の検索支援装置において、前記補助情報出力制御手段は、前記閲覧対象のファイルリストに付加して表示する補助情報の種類を選択指定する補助情報選択手段を有することを特徴とする検索支援装置。
【請求項１１】
請求項１０に記載の検索支援装置において、補助情報を翻訳対象言語に翻訳する翻訳処理実行手段と、補助情報の翻訳処理の有無および翻訳対象言語を選択指定する補助情報選択手段とを有し、前記補助情報出力制御手段は、翻訳を指定されたときには、補助情報を指定された翻訳対象言語へ翻訳して表示することを特徴とする検索支援装置。
【請求項１２】
ユーザが指定した検索条件に合致するファイルを検索して閲覧する場合に、閲覧対象ファイルの内容に対する複数の観点からの補助情報を組み合わせて付加した閲覧対象のファイルリストを表示する検索支援方法であって、前記閲覧対象のファイルリストに付加する補助情報を獲得し、前記補助情報とこの補助情報を獲得した閲覧対象ファイルとを関連づけて格納し、前記閲覧対象のファイルリストを表示する際、各閲覧対象ファイルの補助情報を所定の表示形式で付加して表示するようにしたことを特徴とする検索支援方法。
【請求項１３】
コンピュータに、請求項１乃至１１のいずれかに記載の検索支援装置の機能を実行させるためのプログラム。
【請求項１４】
請求項１３に記載のプログラムを記録したコンピュータ読み取り可能な記録媒体。
【発明の詳細な説明】
【０００１】
【発明の属する技術分野】
本発明は、検索支援装置、検索支援方法、プログラムおよび記録媒体に関し、特に、ユーザが指定した検索条件に合致するファイルを検索して閲覧する場合に、ユーザが個別に各ファイルを開いて内容を確認しなくても効率的に所望のファイルをリスト中から選別できるようにした検索・閲覧のための表示技術に関する。
【０００２】
【従来の技術】
近年、インターネットやイントラネットを介して膨大な量の電子情報ファイルを共有し利用することができるようになった。この膨大な情報源の中から自分の目的に合致する情報のみを取り出すために、ユーザは自分にとって使い勝手のよい検索エンジンを使用している。
【０００３】
しかし、現在利用可能な検索エンジンは、ユーザが入力した検索要求に対する検索結果を閲覧対象ファイルの一覧としてディスプレイに表示する際に、それらのファイルのロケーション情報（例えばインターネット上のＵＲＬ）あるいはファイル中の検索要求に合致した部分の情報のみを付加して提示するといった断片的な付加情報を提示するだけで、ファイルの中身に関して概要がつかめるように複数の観点から抽出した情報を提示していない。
そのために、ユーザは各ファイルにアクセスして内容を確認してから自分が必要とするファイルのみを選別するという作業を余儀なくされ、ユーザが情報選別を効率的に行えないという事態を招いている。
【０００４】
【特許文献１】
特開平１１−２３２２９９号公報
【特許文献２】
特開平１１−８５７８６号公報
【０００５】
【発明が解決しようとする課題】
検索結果の閲覧対象ファイルに対して、内容に関する情報をユーザに提示する技術として、特許文献１や特許文献２がある。
【０００６】
特許文献１の技術では、ネットワーク上に公開または共有されているファイルを検索して閲覧する場合に、その閲覧ファイルに対して過去にユーザが入力した情報（メモ書き等）やアクセス履歴、ファイルの中に含まれるキーワードや単語数といった言語的情報を閲覧時にユーザに提示している。
しかし、閲覧ファイルに関する補助的な情報を提示することにより、そのファイルの読みやすさを向上させるという効果は得られるが、検索結果一覧の中から個々のファイルの中身を見ないで所望のファイルのみを選別するという問題は依然として解決されていない。
【０００７】
一方、特許文献２の技術では、検索結果のタイトル情報と特徴語を用いた検索結果分析ツリー図の両方をユーザに提示することにより、ユーザが検索条件を考える際に必要となる検索結果の分析を効率的に行えるようにしている。
しかし、検索結果全体の特徴を反映するような特徴語の相互の関連性を反映したグラフ表示をタイトルリストと並置して提示することにより検索結果の個々の情報と全体像を分析しながら検索条件の改良を試みたり、観点を変えた検索を試みたりすることができるようになるという効果は得られるが、ユーザは全体像を表す特徴語のグラフ表示を分析しながら所望のファイルを選別しなければならない。即ち、全体から個の抽出という作業を行う必要があり、効率的な情報選別という問題は依然として残っている。
【０００８】
本発明は、上述の実情を考慮してなされたものであり、ユーザが指定した検索条件に合致するファイルを検索して閲覧する場合に、ユーザが個別に各ファイルを開き、時間をかけて内容を確認しなくても所望のファイルのみをリスト中から効率的に選別できる検索支援装置、検索支援方法、検索支援装置の機能を実行するためのプログラムおよびそのプログラムを記録したコンピュータ読み取り可能な記録媒体を提供することを目的とする。
【０００９】
【課題を解決するための手段】
上述の目的を達成するために、本発明の請求項１の検索支援装置は、ユーザが指定した検索条件に合致するファイルを検索して閲覧する場合に、閲覧対象ファイルの内容に対する複数の観点からの補助情報を組み合わせて付加した閲覧対象のファイルリストを表示する検索支援装置であって、前記閲覧対象のファイルリストに付加する補助情報を獲得する補助情報獲得手段と、前記補助情報とこの補助情報を獲得した閲覧対象ファイルとを関連づけて格納する補助情報記憶手段と、前記閲覧対象のファイルリストを表示する際、各閲覧対象ファイルの補助情報を所定の表示形式で付加して表示する補助情報出力制御手段とを備えることを特徴とする。
【００１０】
また、本発明の請求項２は、請求項１に記載の検索支援装置において、前記補助情報獲得手段は、前記閲覧対象ファイルの書誌情報を補助情報として獲得する書誌情報獲得手段と、前記閲覧対象ファイル中から検索条件と合致する部分の情報を補助情報として獲得する検索語合致箇所獲得手段と、前記閲覧対象ファイルの内容を代表する語句および文を補助情報として獲得する言語情報獲得手段とを有することを特徴とする。
【００１１】
また、本発明の請求項３は、請求項２に記載の検索支援装置において、前記検索語合致箇所獲得手段における検索条件と合致する部分の情報は、前記閲覧対象ファイル中から検索条件と合致する部分とその近傍情報であることを特徴とする。
また、本発明の請求項４は、請求項３に記載の検索支援装置において、前記検索語合致箇所獲得手段における近傍情報は、検索条件と合致する部分の開始位置よりも前方の文字列および終了位置よりも後方の文字列を所定の量だけ抽出した文字列であることを特徴とする。
また、本発明の請求項５は、請求項２に記載の検索支援装置において、前記検索語合致箇所獲得手段における検索条件と合致する部分の情報は、前記閲覧対象ファイル中の検索条件と合致する部分の位置情報であることを特徴とする。
【００１２】
また、本発明の請求項６は、請求項２に記載の検索支援装置において、前記言語情報獲得手段は、前記閲覧対象ファイルの内容を代表する語句として、検索語が出現している同一文中に共起する名詞句を抽出することを特徴とする。
また、本発明の請求項７は、請求項２に記載の検索支援装置において、前記言語情報獲得手段は、前記閲覧対象ファイルの内容を代表する文を抽出する際に、文書タイプに応じて抽出方法を切り替えるようにしたことを特徴とする。
また、本発明の請求項８は、請求項２、６または７に記載の検索支援装置において、前記補助情報獲得手段は、前記補助情報の獲得量を選択指定する情報抽出量指定手段を有し、前記言語情報獲得手段は、この補助情報の獲得量だけ前記閲覧対象ファイルの内容から代表する語句および文を獲得することを特徴とする。また、本発明の請求項９は、請求項２に記載の検索支援装置において、検索対象となるファイルの内容を代表する語句および文を属性情報として当該ファイルと対応付けて予め記憶しておき、前記言語情報獲得手段は、前記閲覧対象ファイルに対応する属性情報を補助情報として獲得することを特徴とする。
【００１３】
また、本発明の請求項１０は、請求項１に記載の検索支援装置において、前記補助情報出力制御手段は、前記閲覧対象のファイルリストに付加して表示する補助情報の種類を選択指定する補助情報選択手段を有することを特徴とする。
また、本発明の請求項１１は、請求項１０に記載の検索支援装置において、補助情報を翻訳対象言語に翻訳する翻訳処理実行手段と、補助情報の翻訳処理の有無および翻訳対象言語を選択指定する補助情報選択手段とを有し、前記補助情報出力制御手段は、翻訳を指定されたときには、補助情報を指定された翻訳対象言語へ翻訳して表示することを特徴とする。
【００１４】
また、本発明の請求項１２の検索支援方法は、ユーザが指定した検索条件に合致するファイルを検索して閲覧する場合に、閲覧対象ファイルの内容に対する複数の観点からの補助情報を組み合わせて付加した閲覧対象のファイルリストを表示する検索支援方法であって、前記閲覧対象のファイルリストに付加する補助情報を獲得し、前記補助情報とこの補助情報を獲得した閲覧対象ファイルとを関連づけて格納し、前記閲覧対象のファイルリストを表示する際、各閲覧対象ファイルの補助情報を所定の表示形式で付加して表示するようにしたことを特徴とする。
【００１５】
また、本発明の請求項１３のプログラムは、コンピュータに、請求項１乃至１１のいずれかに記載の検索支援装置の機能を実行させるためのプログラムである。
また、本発明の請求項１４の記録媒体は、請求項１３に記載のプログラムを記録したコンピュータ読み取り可能な記録媒体である。
【００１６】
上記構成により、ユーザが指定した検索条件に合致するファイルを検索して閲覧する場合に、閲覧対象のファイルリストに、各対象ファイルの内容に関する複数の観点からの補助情報を組み合わせて付加することにより、ユーザは個別にファイルを開いて内容を確認しなくても自分が必要とするファイルのみをリスト中から効率的に選別することができる。
【００１７】
また、閲覧対象ファイルに対して書誌的な情報のみならず検索語が含まれる部分の情報、ファイル中の重要な語句や文といった言語的情報まで補助情報として獲得されるため、ユーザは閲覧対象ファイルの内容について複数の観点から情報を得ることができるようになり、情報選別の効率と精度が向上する。
この検索語が含まれる部分の情報として、その検索語の出現位置の前後の文字列を表示して、ユーザは検索語が閲覧対象ファイルの中でどのような文脈で使用されているのかを知ることができる。
【００１８】
また、ファイル中の内容を代表する語句として、検索語が出現している同一文中に共起する名詞句を抽出するため、ユーザは検索語が閲覧対象ファイルの中でどのような文脈で使用されているのかを知ることができるようになり、情報選別が効率的に行えるようになる。
【００１９】
さらに、ファイルの内容を代表する文（重要文）を抽出する際に、ユーザは文書タイプに応じて抽出方法を切り替えられるようになり、抽出される重要文の精度が向上し、情報選別がより効率的に行えるようになる。
【００２０】
また、抽出する補助情報の量をユーザが選択指定できるため、ユーザは検索の目的や検索対象分野に対する習熟度に応じて、表示される補助情報の量を調節できるようになる。
【００２１】
また、閲覧対象ファイルリストに付加される補助情報の種類、補助情報の翻訳処理の有無と翻訳対象言語をユーザ自身が選択できるようになり、ユーザが希望する補助情報のみを提示する、あるいは提示される補助情報を必要に応じて自由に切り替えられるというユーザフレンドリなインタフェースを提供できる。
【００２２】
さらに、閲覧対象文書が外国語の文書の場合やユーザの母語が対象文書の言語ではない場合には、表示される補助情報の翻訳の有無や翻訳言語をユーザが選択指定できるため、ユーザが個別に各ファイルを開いて時間をかけて内容を確認しなくても所望のファイルのみをリスト中から効率的に選別できるようになる。
【００２３】
また、閲覧対象ファイルをリアルタイムに言語解析してキーとなる言語情報を獲得するかわりに、予め言語情報を抽出し、当該ファイルと関連づけて格納しておくことによって、閲覧するときに言語解析を行う必要がなくなり、より効率的に補助情報を獲得できる。
【００２４】
【発明の実施の形態】
以下、図面を参照して本発明の検索支援装置に係る好適な実施形態を説明する。実施形態では、本発明の検索支援装置を検索装置へ組み込んだものとし、また、日本語で書かれた文書を検索対象として説明するが、英語、独語や仏語等の他の言語による文書の検索においても適用することができる。
【００２５】
＜実施形態１＞
図１は、一般の検索装置を実現するためのハードウェア構成を示すブロック図である。図１において、検索装置は、データ等の演算や処理を行うＣＰＵ（中央演算処理ユニット）１０１と、プログラムやデータおよび動作時に一時的に格納する情報等を記憶するメモリ１０２と、キー操作に基づきプログラムやデータ等を入力するキーボード、タッチパネルや一般にマウスカーソルと呼ばれる目印を移動させると共に、その移動に基づくデータを入力するマウス等の入力装置１０３と、入力データや処理結果等を表示するＣＲＴディスプレイあるいは液晶ディスプレイ等の表示装置１０４と、プログラムや検索対象となる情報ファイル群が登録されたデータベースや検索結果を記憶する比較的大容量のハードディスク等の記憶装置１０５と、それらの各装置を相互に接続するデータバス１０６とを少なくとも備えている。
【００２６】
図２は、本実施形態１の検索装置の機能構成を示すブロック図である。
図２において、検索装置は、検索語入力手段１０、検索手段２０、補助情報獲得手段３０、補助情報出力制御手段４０、補助情報選択手段５０、ファイル群記憶手段６０、ファイルリスト記憶手段７０、補助情報記憶手段８０とを含んでいる。ここで、本発明の検索支援装置は、補助情報獲得手段３０、補助情報出力制御手段４０、補助情報選択手段５０および補助情報記憶手段８０とから構成される。
【００２７】
検索語入力手段１０は、検索対象の複数の文書等を記憶しているファイル群記憶手段６０に対して、閲覧する文書等を特定するための検索語を入力装置１０３から入力する。
例えば、図３のような検索語入力画面を表示させて、ユーザが検索語『グルメ』を入力して、「検索実行」ボタンを押下する。
【００２８】
検索手段２０は、検索語入力手段１０で指定された検索語（例えば、『グルメ』）によってファイル群記憶手段６０を検索し、例えば、検索語との関連度の高いものから５件ずつ閲覧対象ファイルのリストをファイルリスト記憶手段７０へ格納する。
ファイル群記憶手段６０は、検索対象となる複数のファイルを記憶している。このファイルは、検索装置をインターネット等のネットワークに接続した場合に、このネットワーク上で共有されているファイルであってもよいし、あるいは、検索装置の記憶装置１０５に記憶されているファイルのいずれであってもかまわない。
【００２９】
ファイルリスト記憶手段７０には、検索されたファイルのロケーションを格納する。ロケーションとしては、ファイル群記憶手段６０を検索装置の記憶装置１０５に記憶するようにした場合には、この記憶装置１０５上のファイルアドレスとし、ファイル群記憶手段６０をネットワーク上で共有されているファイルとした場合には、そのファイルのＵＲＬ（Ｕｎｉｆｏｒｍ  Ｒｅｓｏｕｒｃｅ  Ｌｏｃａｔｏｒ）を用いる。
以下、ファイル群記憶手段６０を、ネットワーク上で共有されたファイルとして説明するが検索装置の記憶装置１０５に記憶された場合にも適用可能である。
【００３０】
補助情報獲得手段３０は、ファイルリスト記憶手段７０に記憶された閲覧対象ファイルをひとつずつ取り出し、この閲覧対象ファイルから獲得した補助情報をこの閲覧対象ファイルと対応づけて補助情報記憶手段８０に記憶する。
このように獲得した補助情報と閲覧対象ファイルとを分離して格納するようにしたので、補助情報の管理と利用を容易に行えるようになる。
【００３１】
この補助情報記憶手段８０のデータ構造は、図４に示すように、閲覧対象の各ファイルに対して、書誌情報、検索語合致箇所情報および言語情報を対応づけて格納する。
書誌情報としては、ファイルのロケーション（例えば、ＵＲＬ）、タイトル名、ファイルの作成者名、作成年月日とファイルサイズ等である。
検索語合致箇所情報としては、検索語に一致した部分の開始位置、終了位置、さらに合致した箇所の前後の所定量（例えば、１０文字）の文字列である。この所定量の文字数は、ユーザの指定により適宜変更可能である。
言語情報としては、１つ以上のキーワード、１つ以上の重要文である。このキーワードや重要文の数量もユーザの指定により適宜変更可能である。
【００３２】
図５は、補助情報記憶手段８０に記憶された１つのファイルに対する補助情報の具体例を示している。
これにより閲覧対象ファイルに対して書誌的な情報のみならず検索語が含まれる部分の情報、ファイル中の重要な語句や文といった言語的情報まで補助情報として獲得されるため、ユーザは閲覧対象ファイルの内容について複数の観点から情報を得ることができるようになり、情報選別の効率と精度が向上する。
【００３３】
ファイルリスト記憶手段７０に記憶されたすべての閲覧対象ファイルに対して補助情報の獲得処理が終了すると、補助情報出力制御手段４０は、予め格納しておいた補助情報表示形式テーブル（図６参照）を参照することにより、補助情報記憶手段８０に格納されている補助情報を検索結果の閲覧対象ファイルのリストに付加して表示装置１０４へ表示する。
【００３４】
補助情報表示形式テーブル（図６参照）は、獲得された補助情報（書誌情報、検索語合致箇所情報および言語情報）を表示するときの表示形式を保持するテーブルであり、各補助情報（書誌情報、検索語合致箇所情報および言語情報）の表示項目ごとに、文字列を表示させるときの文字サイズ、文字の色、表示位置および属性等を保持するデータ構造である。
また、補助情報表示形式テーブルは、出力指定フラグを各補助情報の表示項目ごとに備えており、出力指定フラグのオン（１）である表示項目は、対応する補助情報を表示する。一方、出力指定フラグのオフ（０）である表示項目は、補助情報の表示は行わない。
【００３５】
この補助情報出力制御手段４０による表示結果は、図７のような形式で表示され、この後、表示された情報をもとに、ユーザは所望のファイルを指示または閲覧する。
図７の表示例では、閲覧対象ファイルリストの各ファイルに対して次のように補助情報を付加して表示している。
【００３６】
（１）ファイル名として
ファイルのタイトル名を１２ポイントの大きさの黒色の文字でロケーションへのハイパーリンクをつけて表示する。
【００３７】
（２）書誌情報として
タイトル名の直下の行にロケーションを９ポイントの大きさの青色の文字でロケーションへのハイパーリンクをつけて表示し、ファイルの作成年月日およびファイルのサイズを９ポイントの大きさの黒色の文字でロケーションと同じ行に表示する。ファイルの作成者名の出力指定フラグが１（オン）である場合には、９ポイントの大きさの黒色の文字でロケーションと同じ行に表示する。
【００３８】
（３）検索語合致箇所情報として
書誌情報を表示した行の直下行に、前方文字列と合致箇所の文字列（検索語）と後方文字列とを連結して、１０ポイントの大きさの文字で表示する。
このとき前方文字列と後方文字列は黒色の文字で表示し、合致箇所の文字列は赤色の文字で強調表示する。
【００３９】
（４）言語情報として
キーワードは、検索語合致箇所情報の直下行に、１０ポイントの大きさの緑色の文字列で獲得した数だけ表示する。
重要文は、キーワードの直下行に、１０ポイントの大きさの黒色の文字で表示する。
【００４０】
図７のように、閲覧対象ファイルリストに各閲覧対象ファイルの内容を表す種々の観点からの補助情報が組み合わされて提示されることにより、ユーザは各閲覧対象ファイルにアクセスして中身を見なくても自分にとって必要なファイルを効率よく選別することができる。
【００４１】
補助情報選択手段５０は、ユーザからの選択指定によって、閲覧対象ファイルリストを表示する際に付加する補助情報の種類を入力する。
例えば、図３や図７の画面右上に補助情報選択ボタンを用意しておき、このボタンをユーザが押下すると、図８に示すような補助情報選択指定画面を表示させ、ユーザが表示させたい補助情報の種類をマウス等で選択し、選択実行ボタンを押下して入力する。
この指定された補助情報の種類は、図６のような補助情報表示形式テーブル中の出力指定フラグを更新することによって保持・管理する。
これにより閲覧対象ファイルリストに付加して表示する補助情報の種類をユーザが選択指定できるので、ユーザが希望する補助情報のみを提示する、あるいは提示される補助情報を必要に応じて自由に切り替えることができる。
【００４２】
以下、上述した補助情報獲得手段３０について詳しく説明する。
図９は、補助情報獲得手段３０の機能構成を示すブロック図であり、書誌情報獲得手段３１、検索語合致箇所獲得手段３２および言語情報獲得手段３３とから構成され、獲得した補助情報（言語情報、検索語合致箇所情報および言語情報）を補助情報記憶手段８０へ記憶する。
書誌情報獲得手段３１は、ファイルリスト記憶手段７０に記憶されている閲覧対象ファイルのロケーションを参照して、そのロケーションにあるファイルの書誌情報をファイル群記憶手段６０からファイルのタイトル名、作成者名、作成年月日およびサイズ（ファイル容量）等を獲得する。
【００４３】
検索語合致箇所獲得手段３２は、ファイル中の検索語が合致した部分の開始位置と終了位置の情報を獲得するとともに、開始位置よりも前方の文字列並びに終了位置よりも後方の文字列を所定量（例えば、１０文字）だけ獲得する。
これによりユーザは閲覧対象ファイルの中において検索語がどのような文脈で使用されているのかを知ることができるようになる。
【００４４】
言語情報獲得手段３３は、閲覧対象ファイルの文書内容のテキスト部分を言語解析手段３４で言語解析し、この文書内容を代表する語句として抽出したキーワード、また、キーワードの頻度情報や文の位置情報等を用いて抽出した重要文を獲得する。ここで、言語解析方法、キーワード抽出方法および重要文抽出方法は、従来の技術を用いる。
【００４５】
また、新聞記事や報告書のような場合には、重要な情報を文書の先頭に置くことが多いので、先頭文を重要文とするようにしてもよい。
例えば、図３または図７にある補助情報選択ボタンを使って、ファイル中から抽出する言語情報としてキーワードとファイルの先頭部分（例えば先頭３０文字分）を指定した場合、図１０のように、先頭部分の文字列が補助情報の重要文として表示される。
このように、補助情報として抽出する言語情報の重要文をファイルの先頭部分と指定しておくと、言語解析を用いた重要文抽出処理を行う必要がなくなり、処理効率をアップさせることができる。
【００４６】
図１１は、本発明の検索支援装置を組み込んだ検索装置の処理手順を示すフローチャートである。
ユーザが図３または図７のような入力画面で検索語を入力する（ステップＳ１）。
この検索語を使って、ファイル群記憶手段６０に対して検索処理を実行する（ステップＳ２）と、検索結果として閲覧対象ファイルのロケーションのリストがファイルリスト記憶手段７０へ格納される（ステップＳ３）。
【００４７】
補助情報として出力すべき種類を入力する（ステップＳ４）。
図３または図７の補助情報選択ボタンを押下した場合には、図８のような補助情報選択画面から出力したい補助情報を選択し、選択実行ボタンを押下することによって、補助情報表示形式テーブル中の出力指定フラグを設定する。
一方、図３または図７の補助情報選択ボタンを押下しない場合には、この選択のステップＳ４は実行されない。
【００４８】
次に、ファイルリスト記憶手段７０に記憶されたロケーションにある閲覧対象ファイルの内容をひとつずつ取り出し（ステップＳ５）、補助情報を獲得し、補助情報記憶手段８０に閲覧対象ファイルと獲得した補助情報を対応づけて記憶する（ステップＳ６）。
このステップＳ５とＳ６の処理をすべての閲覧対象ファイルに対して繰り返す（ステップＳ７）。
【００４９】
すべての閲覧対象ファイルに対して補助情報の獲得処理が終了すると（ステップＳ７のＹｅｓ）、予め格納しておいた補助情報表示形式テーブルを参照して、ファイルリスト記憶手段７０中の閲覧対象ファイルへ、補助情報表示形式テーブル中の出力指定フラグがオン（１）の獲得された補助情報を付加して、図７のように所定の表示形式で表示装置１０４に１画面分の一覧表を表示する（ステップＳ８）。
【００５０】
この後、ユーザは、タイトル名またはロケーションにリンクした閲覧対象ファイルをマウスでクリックして、内容等を表示させて閲覧する（ステップＳ９）。指定された検索語に対する検索結果を１画面で表示できない場合には（ステップ１０の「あり」）、次の検索結果を要求するためにステップＳ８へ戻る。
一方、すべての検索結果を表示してしまい他の検索語を指定したい場合には（ステップ１１の「あり」）、ステップＳ１へ戻り、他の検索語を指定しない場合には（ステップ１１の「なし」）、処理を終了する。
【００５１】
＜実施形態２＞
本実施形態２は、上述した実施形態１に加えて、補助情報の抽出量や翻訳処理を行うか否かを指定できるようにした。また、実施形態１と同様な機能については、同じ符号を付し、その相違点のみを説明する。
【００５２】
図１２は、本実施形態２における補助情報獲得手段３０の機能構成を示すブロック図である。
図１２において、補助情報獲得手段３０は、書誌情報獲得手段３１、検索語合致箇所獲得手段３２、言語情報獲得手段３３、情報抽出量指定部３５とから構成され、獲得した補助情報（言語情報、検索語合致箇所情報および言語情報）を補助情報記憶手段８０へ記憶する。また、言語情報獲得手段３３は、言語解析手段３４を含んでいる。
【００５３】
書誌情報獲得手段３１は、ファイルリスト記憶手段７０に記憶されている閲覧対象ファイルのロケーションを参照して、そのロケーションにあるファイルの書誌情報をファイル群記憶手段６０からファイルのタイトル名、作成年月日、サイズ（ファイル容量）および文書タイプ等を獲得する。
文書タイプは、その文書が報告書、新聞記事、論文、ネットワークからの配信文書またはメール等の区分である。
ファイル群記憶手段６０には、上述した実施形態１の書誌事項に加えて、文書タイプも記憶しておく（図１３参照）。
【００５４】
検索語合致箇所獲得手段３２は、ファイル中の検索語が合致した部分の位置情報（例えば、開始位置と終了位置）を獲得する。
言語情報獲得手段３３は、閲覧対象ファイルの文書内容のテキスト部分を言語解析手段３４で言語解析し、この文書内容を代表する語句として抽出したキーワード、また、キーワードの頻度情報や文の位置情報等を用いて抽出した重要文を、情報抽出量指定部３５によって指定された分量だけ獲得する。ここで、言語解析方法、キーワード抽出方法および重要文抽出方法は、従来の技術を用いる。
【００５５】
言語情報獲得手段３３は、キーワードとして、ユーザが入力した検索語が出現している同一文中に共起している名詞句を抽出する。
この場合、言語解析手段３４では、検索語合致箇所情報に基づいて当該検索語を含む文を切り出して形態素解析を行い、検索語と同一文中に共起している名詞句を抽出してキーワードとする。文の切り出しは、検索語に合致した箇所の前後に句点を見つけ、この２つの句点に囲まれた部分を文と認定することにより行う。
【００５６】
例えば、検索語『グルメ』が文書（図１４参照）において２箇所検出された場合、検索語を含む各々の文を切り出し、同一文中に共起している名詞句として「今」、「激戦地」、「デパ地下」、「高級食料品」、「イメージ」、「おしゃれ」、「最近」および「特徴」が抽出され、これらの語句をキーワードとして出力する。
このように、ファイル中の内容を代表する語句として、検索語が出現している同一文中に共起する名詞句を抽出するため、ユーザは当該の検索語がどのような文脈で使用されているのかを知ることができるようになり、情報選別が効率的に行えるようになる。
【００５７】
また、キーワード情報として補助情報記憶手段８０に格納する際に、これらの語句の出現順に格納する場合と、検索語を含む文の中での共起頻度の高い順番に格納する場合とがある。後者の場合、抽出する補助情報の量をユーザが少なめに設定したときに共起頻度の高いものから抽出・表示することができる。
【００５８】
また、言語情報獲得手段３３は、重要文を抽出するときに、閲覧対象ファイルの書誌的情報として格納されている文書タイプによって抽出方法を切り替える。例えば、閲覧対象ファイルの文書タイプがインターネット上での配信記事や新聞記事のような場合には、対象ファイルの先頭部分から複数の文を重要文として抽出することが望ましい。
【００５９】
また、論文や報告書のように構造化された文書の場合には、「目的」や「結論」の部分から複数の文を重要文として抽出することが望ましい。
従って、言語解析手段３４は、文書タイプごとに重要文抽出規則を予め用意し、言語情報の獲得処理に際して、閲覧対象ファイルの書誌情報として格納された文書タイプに対応した重要文抽出規則を駆動する。
このように、ファイルの内容を代表する重要文を抽出する際に、ユーザは文書タイプに応じて抽出方法を切り替えられるようになり、抽出される重要文の精度が向上し、情報選別がより効率的に行えるようになる。
【００６０】
情報抽出量指定部３５は、閲覧対象ファイルに付加される補助情報の量を入力する。
例えば、図１５の画面右上に抽出量指定ボタンを用意しておき、このボタンをユーザが押下すると、図１６に示すような補助情報の抽出量指定画面を表示させ、ユーザが表示させたいキーワードの個数と重要文の文数をキーボード等で入力し、実行ボタンを押下する。
または、図１７に示すような補助情報の抽出量指定画面を表示させ、ユーザが表示させたいキーワードの個数と重要文の文数をマウス等で選択し、実行ボタンを押下する。
このように、抽出する補助情報の量をユーザが選択指定できるようにすると、ユーザは検索の目的や検索対象分野に対する習熟度に応じて、表示される補助情報の量を調節できるようになる。
【００６１】
図１８は、補助情報獲得手段３０によって獲得された補助情報を補助情報記憶手段８０に記憶した１つのファイル（ファイルＡ）の具体例を示している。
【００６２】
図１９は、補助情報出力制御手段４０の機能構成を示すブロック図である。
図１９によると、補助情報出力制御手段４０は、翻訳処理実行手段４１、補助情報選択手段５０とから構成される。
【００６３】
補助情報選択手段５０は、ユーザからの選択指定によって、閲覧対象ファイルリストを表示する際に付加する補助情報の種類、補助情報の翻訳処理の有無と翻訳対象言語に関する選択指定を入力する。
例えば、図１５の画面右上に補助情報選択ボタンを用意しておき、このボタンをユーザが押下すると、図２０に示すような補助情報選択指定画面を表示させ、ユーザが表示させたい補助情報の種類、補助情報の翻訳処理の有無と翻訳対象言語をマウス等で選択し、実行ボタンを押下する。例えば、日本語があまり得意でない外国人が閲覧対象ファイルリストから自分の目的に合致する文書を選別するためには、母語に翻訳された補助情報が提供されることが望ましい。
【００６４】
この指定された補助情報の種類や補助情報の翻訳処理の有無は、補助情報表示形式テーブル（後述）中の出力指定フラグ並びに翻訳指定フラグを更新することによって保持・管理する。
【００６５】
これにより、閲覧対象ファイルリストに付加して表示する補助情報の種類や翻訳処理の有無をユーザが選択指定できるので、ユーザが希望する補助情報のみを提示する、あるいは提示される補助情報を必要に応じて自由に切り替えるというユーザフレンドリなインタフェースを提供できる。
さらに、閲覧対象文書が外国語の文書の場合やユーザの母語が対象文書の言語ではない場合には、表示される補助情報の翻訳の有無や翻訳言語をユーザが選択指定できるため、ユーザが個別に各ファイルを開いて時間をかけて内容を確認しなくても所望のファイルのみをリスト中から効率的に選別できるようになる。
【００６６】
補助情報出力制御手段４０は、ファイルリスト記憶手段７０に記憶されたすべての閲覧対象ファイルに対して補助情報の獲得処理が終了すると、予め格納しておいた補助情報表示形式テーブル（図２１参照）を参照することにより、補助情報記憶手段８０に格納されている補助情報を検索結果の閲覧対象ファイルのリストに付加して表示装置１０４へ表示する。
【００６７】
補助情報表示形式テーブル（図２１参照）は、獲得された補助情報（ファイル名、書誌情報および言語情報）を表示するときの表示形式を保持するテーブルであり、各補助情報（ファイル名、書誌情報および言語情報）の表示項目ごとに、文字列を表示させるときの文字サイズ、文字の色、表示位置および属性等を保持するデータ構造である。
【００６８】
また、補助情報表示形式テーブルは、出力指定フラグおよび翻訳指定フラグを各補助情報の表示項目ごとに備えており、出力指定フラグのオン（１）である表示項目は、対応する補助情報を表示する。一方、出力指定フラグのオフ（０）である表示項目は、補助情報の表示は行わない。
【００６９】
また、翻訳指定フラグのオン（１）である表示項目は翻訳対象の項目であり、オフ（０）の表示項目は翻訳対象外である。さらに、「−」が付された表示項目は、翻訳対象外の項目であり、オン（１）およびオフ（０）以外の値を設定しておく。
【００７０】
この補助情報出力制御手段４０による表示結果は、図２２のような形式で表示され、この後、表示された情報をもとに、ユーザは所望のファイルを指示または閲覧する。
図２２の表示例では、閲覧対象ファイルリストの各ファイルに対して次のように補助情報を付加して表示している。
【００７１】
（１）ファイル名として
ファイルのタイトル名を１２ポイントの大きさの黒色の文字でロケーションへのハイパーリンクをつけて表示する。
【００７２】
（２）書誌情報として
タイトル名の直下の行にロケーションを９ポイントの大きさの青色の文字でロケーションへのハイパーリンクをつけて表示し、ファイルの作成年月日およびファイルのサイズを９ポイントの大きさの黒色の文字でロケーションと同じ行に表示する。文書タイプの出力指定フラグが１（オン）である場合には、９ポイントの大きさの黒色の文字でロケーションと同じ行に表示する。
【００７３】
（３）言語情報として
キーワードは、書誌情報の直下行に、１０ポイントの大きさの緑色の文字列で獲得した数だけ表示する。
重要文は、キーワード情報の直下行に、１０ポイントの大きさの黒色の文字で表示する。
【００７４】
図２２のように、閲覧対象ファイルリストに各閲覧対象ファイルの内容を表す種々の観点からの補助情報が組み合わされて提示されることにより、ユーザは各閲覧対象ファイルにアクセスして中身を見なくても自分にとって必要なファイルを効率よく選別することができる。
【００７５】
翻訳処理実行手段４１は、ユーザが補助情報の翻訳処理を選択した場合に補助情報出力制御手段４０から起動され、ユーザが指定した対象言語に補助情報を翻訳して出力する。翻訳処理方法は、従来の技術を用いる。
図２３は、図２２の検索結果のうち、補助情報として対象ファイルのタイトル名、ロケーション情報とキーワードを指定し、さらに英語に翻訳した場合の表示例である。
【００７６】
＜実施形態１および実施形態２の変形例＞
上述の実施形態１および実施形態２では、検索して閲覧対象のファイルリストを表示するときになって、言語解析して言語情報を獲得しているため、表示するまでに時間がかかっていた。
これを解消するために本変形例では、ファイル群記憶手段６０へ検索対象のファイルを登録する際に、予め言語解析を行い、そのファイルの内容を代表する語句や文として、キーワードや重要文を抽出して、そのファイルと対応付けてファイル群記憶手段６０へ記憶させておく。
【００７７】
補助情報獲得手段３０では、補助情報のうち言語情報に対しては、上記のファイル群記憶手段６０から予め獲得してある言語情報を取り出すようにする。
これにより閲覧対象ファイルをリアルタイムに言語解析して言語情報を獲得する処理を行わないで済むため、より効率的に補助情報が獲得できる。
【００７８】
尚、上述の実施形態では、ネットワークで接続した検索装置に対して端末からネットワーク上またはこの検索装置に存在するファイルを検索・閲覧する場合について説明したが、個人用コンピュータの記憶装置に記録された個人用ファイルを検索・閲覧する場合にも適用可能である。この場合、ロケーション情報としては、例えば、閲覧対象ファイルに辿りつくまでのフォルダのパスとして考える。
【００７９】
＜実施形態３＞
本発明は上述した実施形態の機能をプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、プログラムをコンピュータのメモリあるいは記憶装置に格納し、それを実行することによって、本発明の目的を達成することができる。
【００８０】
尚、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。
【００８１】
また、ロードしたプログラムの指示に基づき、オペレーティングシステム等が実際の処理の一部または全部を行い、その処理によって上述した実施形態の機能が実現される場合も含まれる。
【００８２】
さらに、上述したプログラムが、機能拡張ボードや機能拡張ユニットに備わるメモリにロードされ、そのプログラムの実行によって、上述した実施形態の機能が実現される場合も含まれる。
【００８３】
市場に流通させる場合には、可搬型の記録媒体にプログラムを格納して流通させたり、インターネット等の通信網を介して接続されたサーバコンピュータの記憶装置に格納しておき、通信網を通じて他のコンピュータに転送することによっても流通させることができる。この場合、このサーバコンピュータの記憶装置も本発明の記録媒体に含まれる。
尚、コンピュータでは、可搬型の記録媒体上のプログラム、または転送されてくるプログラムを、コンピュータに接続した記憶装置にインストールし、そのインストールされたプログラムを実行することによって上述した実施形態の機能が実現される。
【００８４】
尚、本発明は上述した実施形態に限定されず、本発明の要旨を逸脱しない範囲内で各種の変形、修正が可能である。
【００８５】
【発明の効果】
以上説明したように本発明によれば、ユーザが指定した検索条件に合致するファイルを検索して閲覧する場合に、閲覧対象のファイルリストに、各対象ファイルの内容に関する複数の観点からの補助情報を組み合わせて付加することにより、ユーザは個別にファイルを開いて内容を確認しなくても自分が必要とするファイルのみをリスト中から効率的に選別することができる。
【００８６】
また、閲覧対象ファイルに対して書誌的な情報のみならず検索語が含まれる部分の情報、ファイル中の重要な語句や文といった言語的情報まで補助情報として獲得されるため、ユーザは閲覧対象ファイルの内容について複数の観点から情報を得ることができるようになり、情報選別の効率と精度が向上する。
この検索語が含まれる部分の情報として、その検索語の出現位置の前後の文字列を表示して、ユーザは検索語が閲覧対象ファイルの中でどのような文脈で使用されているのかを知ることができる。
【００８７】
また、ファイル中の内容を代表する語句として、検索語が出現している同一文中に共起する名詞句を抽出するため、ユーザは検索語が閲覧対象ファイルの中でどのような文脈で使用されているのかを知ることができるようになり、情報選別が効率的に行えるようになる。
【００８８】
さらに、ファイルの内容を代表する文（重要文）を抽出する際に、ユーザは文書タイプに応じて抽出方法を切り替えられるようになり、抽出される重要文の精度が向上し、情報選別がより効率的に行えるようになる。
【００８９】
また、抽出する補助情報の量をユーザが選択指定できるため、ユーザは検索の目的や検索対象分野に対する習熟度に応じて、表示される補助情報の量を調節できるようになる。
【００９０】
また、閲覧対象ファイルリストに付加される補助情報の種類、補助情報の翻訳処理の有無と翻訳対象言語をユーザ自身が選択できるようになり、ユーザが希望する補助情報のみを提示する、あるいは提示される補助情報を必要に応じて自由に切り替えられるというユーザフレンドリなインタフェースを提供できる。
【００９１】
さらに、閲覧対象文書が外国語の文書の場合やユーザの母語が対象文書の言語ではない場合には、表示される補助情報の翻訳の有無や翻訳言語をユーザが選択指定できるため、ユーザが個別に各ファイルを開いて時間をかけて内容を確認しなくても所望のファイルのみをリスト中から効率的に選別できるようになる。
【００９２】
また、閲覧対象ファイルをリアルタイムに言語解析してキーとなる言語情報を獲得するかわりに、予め言語情報を抽出し、当該ファイルと関連づけて格納しておくことによって、閲覧するときに言語解析を行う必要がなくなり、より効率的に補助情報を獲得できる。
【図面の簡単な説明】
【図１】一般の検索装置を実現するためのハードウェア構成を示すブロック図である。
【図２】実施形態１の検索装置の機能構成を示すブロック図である。
【図３】検索語を入力し、検索の実行を指示する画面例である。
【図４】補助情報記憶手段のデータ構造例である。
【図５】１つの閲覧対象ファイルに対する補助情報の具体例である。
【図６】補助情報表示形式テーブルのデータ構造例である。
【図７】補助情報を付加した閲覧対象ファイルリストの表示例である。
【図８】ユーザが表示させたい補助情報の種類を入力する画面例である。
【図９】補助情報獲得手段の機能構成を示すブロック図である。
【図１０】キーワードとファイルの先頭部分を補助情報の言語情報として指定した場合の表示例である。
【図１１】本発明の検索支援装置を組み込んだ検索装置の処理手順を示すローチャートである。
【図１２】実施形態２の補助情報獲得手段の機能構成を示すブロック図である。
【図１３】補助情報記憶手段のデータ構造例である。
【図１４】閲覧対象ファイルの内容例である。
【図１５】補助情報の抽出量指定画面を呼び出すときの画面例である。
【図１６】補助情報の抽出量指定画面例である。
【図１７】補助情報の抽出量指定画面例である。
【図１８】１つの閲覧対象ファイルに対する補助情報の具体例である。
【図１９】補助情報出力制御手段の機能構成を示すブロック図である。
【図２０】ユーザが表示させたい補助情報の種類、翻訳処理の可否を入力する画面例である。
【図２１】補助情報表示形式テーブルのデータ構造例である。
【図２２】補助情報を付加した閲覧対象ファイルリストの表示例である。
【図２３】補助情報を付加した閲覧対象ファイルリストの翻訳処理された表示例である。
【符号の説明】
１０…検索語入力手段、２０…検索手段、３０…補助情報獲得手段、３１…書誌情報獲得手段、３２…検索語合致箇所獲得手段、３３…言語情報獲得手段、３４…言語解析手段、３５…情報抽出量指定部、４０…補助情報出力制御手段、４１…翻訳処理実行手段、５０…補助情報選択手段、６０…ファイル群記憶手段、７０…ファイルリスト記憶手段、８０…補助情報記憶手段、１０１…ＣＰＵ、１０２…メモリ、１０３…入力装置、１０４…表示装置、１０５…記憶装置、１０６…データバス。
【図１】
2004157965.tif 000003
【図２】
2004157965.tif 000004
【図３】
2004157965.tif 000005
【図４】
2004157965.tif 000006
【図５】
2004157965.tif 000007
【図６】
2004157965.tif 000008
【図７】
2004157965.tif 000009
【図８】
2004157965.tif 000010
【図９】
2004157965.tif 000011
【図１０】
2004157965.tif 000012
【図１１】
2004157965.tif 000013
【図１２】
2004157965.tif 000014
【図１３】
2004157965.tif 000015
【図１４】
2004157965.tif 000016
【図１５】
2004157965.tif 000017
【図１６】
2004157965.tif 000018
【図１７】
2004157965.tif 000019
【図１８】
2004157965.tif 000020
【図１９】
2004157965.tif 000021
【図２０】
2004157965.tif 000022
【図２１】
2004157965.tif 000023
【図２２】
2004157965.tif 000024
【図２３】
2004157965.tif 000025